(57)【特許請求の範囲】
【請求項１】
透液性トップシートと、不透液性バックシートとの間に吸収体が介在された吸収性物品において、
少なくとも前記吸収性物品の縦方向中心線上で、体液排出部位を含む股間部領域と、その前方側に位置する前側領域と、前記股間部領域の後方側に位置する後側領域との領域間において、前記股間部領域の吸収体厚を最も厚くし、前記前側領域の吸収体厚を前記股間部領域の吸収体厚より薄くし、かつ前記後側領域の吸収体厚を前記前側領域の吸収体厚よりも薄く形成するとともに、前記前側領域の吸収体厚と前記股間部領域の吸収体厚との差は５mm以下とし、かつ前記後側領域の吸収体厚は４mm以下としたことを特徴とする吸収性物品。
【請求項２】
前記吸収体厚が最も厚い股間部領域は、前記体液排出部位を中心として、吸収性物品の前後方向に±３０〜５０mmの範囲に亘って形成されている請求項１記載の吸収性物品。
【請求項３】
前記後側領域の吸収体は吸収紙である請求項１〜２いずれかに記載の吸収性物品。
【発明の詳細な説明】
【０００１】
【発明の属する技術分野】
本発明は、経血やおりものなどを吸収するための生理用ナプキン、パンティライナー、失禁パッド等の吸収性物品に係り、詳しくは前漏れの防止、身体へのフィット性、後側の装着感の向上を図った吸収性物品に関する。
【０００２】
【従来の技術】
従来より、生理用ナプキン、パンティライナー、失禁パッドなどの吸収性物品として、ポリエチレンシートまたはポリエチレンラミネートシート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、体液の漏れを防止するための手段が種々講じられている。これら体液漏れ防止手段の一つとして、吸収体または吸収性物品の厚みを身体の部位に対応して変化させることによって漏れを防止した技術が存在する。たとえば、特開平2-144059号公報では、吸収性物品の後方側幅方向中央部において、表面材と吸収体との間に、圧縮剛性率が１５〜３８％であり、かつ乾燥圧縮回復率が２５％以上の弾性体を存在させて就寝時の後漏れを防止した吸収性物品（従来例１）が開示されているとともに、特開平9-28729号公報では、図７に示されるように、基層吸収体５０の後端部上面側に全幅に亘ってクッション層５１を設け、就寝時に経血が臀裂を通って後側に漏れ出るのを防止した生理用ナプキン（従来例２）が開示されている。また、特開2001-299812号公報では、図８に示されるように、吸収体５２の体液排出口対応部よりも前部側位置に、前記体液排出口対応部の略中心点の高さよりも相対的に嵩高となる前漏れ防止用嵩高部５３が存在し、前漏れ防止効果を高めた吸収性物品（従来例３）が開示されている。
【０００４】
【発明が解決しようとする課題】
しかしながら、上記従来例１〜３に記載の吸収性物品は、いずれも就寝時における姿勢状態での後漏れや前漏れを防止するためのものであり、昼時（活動時間帯）に使用される吸収性物品の場合には、女性の身体構造、姿勢状態や動きに合わせた態様で吸収体の厚みを部位毎に変化させる必要がある。すなわち、女性の構造は前方部は平面的であるのに対し、股間部は窪み状になっていることから、この女性特有の身体構造に合わせてフィット性を上げる必要がある。また、着用者が椅子等に着席したり、椅子等から起立して前屈みになった瞬間には、ナプキンが臀部側に引っ張られて、前側吸収体と身体との間に隙間が出易くなるという現象が発生する。また、通常ショーツをはいた時のフィット性は前側より後側の方が高く、前側はナプキンと体との間に隙間が出来易い。
【０００５】
他方で、昼装着時に着用者がごわごわ感を感じているのは主にお尻側であり、またパンツなどのフィット性の高い衣類を着用する時などは、吸収体ラインが出ない構造のナプキンが求められている。
【０００６】
そこで本発明の主たる課題は、身体へのフィット性を向上させるとともに、前漏れを効果的に防止し、かつ装着時のごわごわ感を軽減し得る等の利点を有する吸収性物品を提供することにある。
【０００７】
【課題を解決するための手段】
前記課題を解決するために請求項１に係る本発明として、透液性トップシートと、不透液性バックシートとの間に吸収体が介在された吸収性物品において、
少なくとも前記吸収性物品の縦方向中心線上で、体液排出部位を含む股間部領域と、その前方側に位置する前側領域と、前記股間部領域の後方側に位置する後側領域との領域間において、前記股間部領域の吸収体厚を最も厚くし、前記前側領域の吸収体厚を前記股間部領域の吸収体厚より薄くし、かつ前記後側領域の吸収体厚を前記前側領域の吸収体厚よりも薄く形成するとともに、前記前側領域の吸収体厚と前記股間部領域の吸収体厚との差は５mm以下とし、かつ前記後側領域の吸収体厚は４mm以下としたことを特徴とする吸収性物品が提供される。
【０００８】
請求項２に係る本発明として、前記吸収体厚が最も厚い股間部領域は、前記体液排出部位を中心として、吸収性物品の前後方向に±３０〜５０mmの範囲に亘って形成されている請求項１記載の吸収性物品が提供される。
【０００９】
請求項３に係る本発明として、前記後側領域の吸収体は吸収紙である請求項１〜２いずれかに記載の吸収性物品が提供される。
【００１０】
【発明の実施の形態】
以下、本発明の実施の形態について図面を参照しながら詳述する。
図１は本発明に係る生理用ナプキン１の展開図であり、図２は図１のII−II線矢視図、図３は図１のIII−III線矢視図、図４は図１のIV−IV線矢視図である。
【００１１】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の両側縁部を起立基端とし前後方向に所定の区間内において表面側に突出して設けられた左右一対の立体ギャザー７，７とから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザー７を形成しているサイド不織布６とがホットメルトなどの接着剤やヒートシール等の接着手段によって接合され、これら不透液性バックシート２とサイド不織布６とによる複合シート部分によって側方に突出するウイングＷ、Ｗが形成された構造のもので、本発明では特に、身体へのフィット性を向上させるとともに、前漏れを効果的に防止し、かつ装着時のごわごわ感を軽減するために、前記吸収体４の厚みを各部位毎に変化させるようにしている。
【００１２】
以下、具体的に前記生理用ナプキン１の構造について詳述すると、前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００１３】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００１４】
また、前記透液性トップシート３に多数の透孔を形成した場合には、経血やおりもの等（以下、まとめて体液という。）が速やかに吸収されるようになり、ドライタッチ性に優れたものとなる。
【００１５】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は図示のごとく、形状保持等のためにクレープ紙５によって囲繞するのが望ましい。また、本発明における「吸収体」には、前記吸収性ポリマー入りフラッフ状パルプの他、親水性を有する繊維集合体、クレープ紙等の吸収紙、紙類の積層体、吸水性樹脂発泡体（スポンジ）等を単独でまたは組み合わせて使用することができる。前記親水性を有する繊維集合体としては、例えば木材パルプ、綿、レーヨン等のセルロース繊維、アクリロニトリル、ポリビニルアルコール等の親水性基を有する合成繊維や、ポリエチレン、ポリプロピレン、ポリエステル等の疎水性繊維を親水化剤で表面処理して親水性を付与した繊維等を挙げることができる。
【００１６】
本生理用ナプキン１においては、特に身体へのフィット性を向上させるとともに、前漏れを効果的に防止し、かつ装着時のごわごわ感を軽減するために、前記吸収体４の厚みを各部位毎に変化させるようにしている。具体的には、少なくとも生理用ナプキン１の縦方向中心線Ｌ上で、体液排出部位Ｈを含む股間部領域８と、その前方側に位置する前側領域９と、前記股間部領域８の後方側に位置する後側領域１０との領域間において、前記股間部領域８（中高部１１）の吸収体厚ＨＣを最も厚くし、前記前側領域９の吸収体厚ＨＦを前記股間部領域８の吸収体厚ＨＣより薄くし、かつ前記後側領域１０の吸収体厚ＨＢを前記前側領域９の吸収体厚ＨＦよりも薄く形成するようにしている。すなわち、吸収体４の各部位毎の厚みに関して、相対的に、股間部領域８の吸収体厚ＨＣ＞前側領域９の吸収体厚ＨＦ＞後側領域の吸収体厚ＨＢの関係が成立するようになっている。
【００１７】
なお、前記体液排出部位Ｈを含む股間部領域８は、後述するウイングＷの位置や、吸収体側縁部に形成された湾曲ライン（フィットカット）の位置などによって特定されるもので、特にこれらウイングやフィットカットなどが存在しないシンプルなナプキンの場合はほぼ縦方向中央位置として特定されるものである。
【００１８】
先ず、女性の身体構造は股間部の前方部位は比較的平面的であるのに対して、股間部は窪み状になっていることから、股間部と女性局部とのフィット性を上げるために、股間部領域８の吸収体厚を最も厚くした上で、着席や起立した際でもナプキンが後側に引っ張られて前側吸収体と身体との間に隙間が出来るのを防止するため、前側領域の吸収体は前記股間領域８の吸収体厚よりも薄く形成し前漏れを防止する。そして、後部領域においてはごわごわ感を無くすため、後側領域の吸収体を前記前側領域の吸収体よりも薄く形成するようにする。
【００１９】
ここで、前記股間部領域８の吸収体厚は、４〜１１mm、好ましくは５〜８mmとするのがよい。吸収体厚が４mm未満の場合は女性局部に対する密着性（フィット性）が得られず、１１mmを超える場合は逆にゴワ付きを感じ過ぎて装着性が悪化する。前記吸収体厚が最も厚い股間部領域は、前記体液排出部位を中心として、吸収性物品の前後方向に±３０〜５０mmの範囲に亘って形成されていることが望ましい。すなわち、股間部領域の長さは一般的な女性の局部長さに合わせて６０〜１００mmの範囲とするのが望ましい。
【００２０】
一方、前記前側領域９の吸収体厚と前記股間部領域８の吸収体厚との差は５mm以下とするのが望ましい。この厚さ差が５mm未満であると、後述する実施例における官能試験からも分かるように、股間部領域でのフィット性を満足しながら、かつ前側領域でも高いフィット性が得られ前漏れを防止できるようになる。
【００２１】
前記後側領域１０の吸収体厚（絶対数値範囲）は、４mm以下とするのが望ましい。股間部領域８より後方側部分の厚みが４mm以下の場合には、後述する実施例における官能試験からも分かるように、後部側において高いフィット感を満足し得るものとなる。
【００２２】
なお、本発明において、吸収体各部位での厚みは厚みゲージを用いて無荷重状態で計測した測定値をいう。但し、吸収体の厚みは均一ではないため複数点を測定し、最も高い測定値を吸収体厚とする。
【００２３】
他方、吸収体４の厚みを各部位毎に変化させるには、例えば図５(A)に示されるように、綿状パルプを積繊して吸収体を製造する際に、股間部領域８、前側領域９、後側領域１０の順でパルプの嵩（量）を変化させ吸収体厚を変えるようにしてもよいし、図５(B)に示されるように、股間部領域８のみを間欠で相対的にパルプ積繊量を多くして厚くした後、前側領域９に別の吸収体要素２０を配設してもよい。また、図５(C)に示されるように、股間部領域８のみを間欠で相対的にパルプ積繊量を多くして厚くした後、後側領域１０をエンボッシング（プレス）により圧着し薄く仕上げるようにしてもよい。更に、後側領域１０を極端に薄くして、パンツなどのフィット性の高い衣類を着用した際、生理用ナプキン１のラインが出ないようにするためには、図５(D)に示されるように、後側領域１０に前記綿状パルプに代えて、吸収紙などの吸収性シート２１を配置するようにしてもよい。
【００２４】
なお、吸収体４の各部位毎における吸収体厚の相対関係は、少なくとも生理用ナプキン１の縦方向中心線Ｌ上で満足すれば足りる。したがって、本例のように股間部領域８内の中心部に形成した中高部１１によって吸収体の厚みを確保すれば足り、前記股間部領域８領域内であっても前記中高部１１の両側部分は前側領域９と同厚であっても、或いは薄くてもよい。
【００２５】
一方、前記透液性トップシート３面には、前記股間部領域８に形成された中高部１１を所定位置に保持するとともに、表面側にきっちりと膨出させる、および吸収した体液を封じ込める等のために、中高部１１の周縁に沿って小判状のエンボス１２が形成されている。また、前側領域９には、円弧状エンボスの両端をそのまま股間部領域８側まで延在させた略逆Ｕ字状エンボス１３およびその内側に円弧状エンボス１４が形成されているとともに、前記後側領域１０には円弧状エンボスの両端をそのまま股間部領域８側まで延在させた略Ｕ字状エンボス１５がそれぞれ形成されている。
【００２６】
一方、前記透液性トップシート３の幅寸法は、図示例では、図２および図３の横断面図に示されるように、吸収体４の幅よりも若干長めとされ、吸収体４を覆うだけに止まり、前記立体ギャザー７は前記透液性トップシート３とは別のサイド不織布６、具体的には経血やおりもの等が浸透するのを防止する、あるいは肌触り感を高めるなどの目的に応じて、適宜の撥水処理または親水処理を施した不織布素材を用いて構成されている。かかるサイド不織布６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２７】
前記サイド不織布６は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布６と不透液性バックシート２との積層シート部分により、ほぼ体液排出部位Ｈに対応する吸収体側部位置に左右一対のウイングＷ、Ｗが形成されている。このウイングＷ、Ｗの外面側（不透液性バックシート２側）には粘着部１６，１６を備え、図６に示されるように、ショーツ３０に対する装着時に、折返し線ＲＬ位置にて反対側に折返し、ショーツのクロッチ部分に巻き付けて生理用ナプキン１を止着するようにする。
【００２８】
前記サイド不織布６の内側部分はほぼ二重に折り返されるとともに、この二重シート内部には、その高さ方向中間部に両端または長手方向の適宜の位置が固定された１または複数の、図示例では３本の糸状弾性伸縮部材１７，１７…が配設され、その収縮力によって前記二重シート部分を表面側に起立させ、立体ギャザー７，７が形成されている。
【００２９】
【実施例】
（１）後側領域のフィット性評価
吸収体として綿状パルプを使用し、吸収体の前側領域の厚さを約5.0mm、股間部領域の厚さを約7.0mmと一定にし、後側領域の吸収体厚を種々変化させた供試体を作製し、20〜43才の女性を対象として官能試験を行い、その内、30人をランダムに選定し官能評価を行った。
【００３０】
なお、フィット性の官能評価基準は、◎：30人中25人以上が良いと答えた、○：30人中15人以上25人未満が良いと答えた、△：30人中5人以上15人未満が良いと答えた、×：30人中0人以上5人未満が良いと答えた、とした。
その結果を表１に示す。
【００３１】
【表１】
0004233786.tif 000002
【００３２】
以上の官能試験から吸収体の後側領域の厚みは、４mm以下が望ましいことが判明した。
【００３３】
（２）股間部領域と前側領域の相互間のフィット性と前漏れ評価
吸収体として綿状パルプを使用し、吸収体の前側領域の厚さを約3.5mm、後側領域の厚さを約2.0mmと一定にし、股間部領域の厚さを種々変化させた供試体を作製し、20〜43才の女性を対象として官能試験を行い、その内、30人をランダムに選定し官能評価を行った。
【００３４】
また、前漏れ試験として、座った体勢をとらせたタ゛ミー人形に6ccの人工血液を流し、3分放置したときのn=30における漏れの発生数により前漏れ評価を行った。
【００３５】
フィット性の官能評価基準は、◎：30人中25人以上が良いと答えた、○：30人中15人以上25人未満が良いと答えた、△：30人中5人以上15人未満が良いと答えた、×：30人中0人以上5人未満が良いと答えた、とした。
その結果を表２に示す。
【００３６】
【表２】
0004233786.tif 000003
【００３７】
以上の試験結果から、股間部領域の吸収体厚と前側領域の吸収体厚との差は５mm以下とするのが望ましいことが判明した。
【００３８】
【発明の効果】
以上詳説のとおり本発明によれば、身体へのフィット性が向上するとともに、前漏れを効果的に防止し、かつ装着時のごわごわ感を軽減し得る等の利点を有するものとなる。
【図面の簡単な説明】
【図１】  本発明に係る生理用ナプキン１の展開図である。
【図２】  図１のII−II線矢視図である。
【図３】  図１のIII−III線矢視図である。
【図４】  図１のIV−IV線矢視図である。
【図５】  吸収体４の各部位毎の厚み変化態様図である。
【図６】  ナプキン１の装着状態図である。
【図７】  従来の生理用ナプキン（従来例２）の縦断面図である。
【図８】  従来の生理用ナプキン（従来例３）の前部側縦断面図である。
【符号の説明】
１…生理用ナプキン、２…不透液性バックシート、３…透液性トップシート、４…吸収体、５…クレープ紙、６…サイド不織布、７…立体ギャザー、８…股間部領域、９…前側領域、１０…後側領域、１１…中高部、１２〜１５…エンボス、Ｈ…体液排出部位
【図１】
0004233786.tif 000004
【図２】
0004233786.tif 000005
【図３】
0004233786.tif 000006
【図４】
0004233786.tif 000007
【図５】
0004233786.tif 000008
【図６】
0004233786.tif 000009
【図７】
0004233786.tif 000010
【図８】
0004233786.tif 000011